【手続補正書】
【提出日】平成27年10月16日(2015.10.16)
【手続補正１】
【補正対象書類名】特許請求の範囲
【補正対象項目名】全文
【補正方法】変更
【補正の内容】
【特許請求の範囲】
【請求項１】
出力構造化文書データを取得する取得手段と、
前記出力構造化文書データに係るコンテンツの画質情報を取得する画質情報取得手段と、
出力設定情報を保持する出力設定保持手段と、
前記出力設定保持手段に保持された出力設定情報に応じたコンテンツを、前記画質情報取得手段により取得されたコンテンツの画質情報に基づいて選択する選択手段と、
前記選択手段により選択されたコンテンツをコンテンツサーバから取得するコンテンツ取得手段と、
前記コンテンツ取得手段により取得されたコンテンツを出力する出力手段と、
を有するコンテンツ出力装置。
【請求項２】
前記選択手段は、出力設定情報に応じたコンテンツを、前記画質情報取得手段により取得されたコンテンツの画質情報に基づいて、１以上のコンテンツサーバが提供する複数のバージョンのコンテンツから選択する請求項１記載のコンテンツ出力装置。
【請求項３】
前記選択手段は、１つの媒体に出力するコンテンツが複数、存在する場合、前記画質情報取得手段により取得された各コンテンツの画質情報に基づき、各コンテンツ間の画質のばらつきを求め、前記ばらつきに基づいて、前記出力設定情報に応じた複数のコンテンツを選択する請求項１又は２記載のコンテンツ出力装置。
【請求項４】
前記画質情報取得手段は、前記取得手段により取得された出力構造化文書データに含まれる情報に基づいて、前記出力構造化文書データに係るコンテンツの画質情報を取得する請求項１乃至３のいずれか１項に記載のコンテンツ出力装置。
【請求項５】
前記取得手段は、出力指示装置から出力構造化文書データを取得し、
前記出力設定保持手段は、前記出力指示装置から指定された出力設定情報を保持する請求項１乃至４のいずれか１項に記載のコンテンツ出力装置。
【請求項６】
コンテンツを出力するコンテンツ出力装置と、コンテンツを提供する１以上のコンテンツサーバと、を含むコンテンツ出力システムであって、
前記コンテンツ出力装置は、
出力構造化文書データを取得する取得手段と、
前記出力構造化文書データに係るコンテンツの画質情報を取得する画質情報取得手段と、
出力設定情報を保持する出力設定保持手段と、
前記出力設定保持手段に保持された出力設定情報に応じたコンテンツを、前記画質情報取得手段により取得されたコンテンツの画質情報に基づいて、前記１以上のコンテンツサーバが提供する複数のコンテンツから選択する選択手段と、
前記選択手段により選択されたコンテンツを前記１以上のコンテンツサーバから取得するコンテンツ取得手段と、
前記コンテンツ取得手段により取得されたコンテンツを出力する出力手段と、
を有するコンテンツ出力システム。
【請求項７】
コンテンツ出力装置が実行するコンテンツ出力方法であって、
出力構造化文書データを取得する取得ステップと、
前記出力構造化文書データに係るコンテンツの画質情報を取得する画質情報取得ステップと、
出力設定保持部に保持された出力設定情報に応じたコンテンツを、前記画質情報取得ステップにより取得されたコンテンツの画質情報に基づいて選択する選択ステップと、
前記選択ステップにより選択されたコンテンツを取得するコンテンツサーバからコンテンツ取得ステップと、
前記コンテンツ取得ステップにより取得されたコンテンツを出力する出力ステップと、
を含むコンテンツ出力方法。
【請求項８】
前記選択ステップでは、出力設定情報に応じたコンテンツを、前記画質情報取得ステップにより取得されたコンテンツの画質情報に基づいて、１以上のコンテンツサーバが提供する複数のバージョンのコンテンツから選択する請求項７記載のコンテンツ出力方法。
【請求項９】
コンテンツを出力するコンテンツ出力装置と、コンテンツを提供する１以上のコンテンツサーバと、を含むコンテンツ出力システムにおけるコンテンツ出力方法であって、
前記コンテンツ出力装置が、出力構造化文書データを取得する取得ステップと、
前記コンテンツ出力装置が、前記出力構造化文書データに係るコンテンツの画質情報を取得する画質情報取得ステップと、
前記コンテンツ出力装置が、出力設定保持部に保持された出力設定情報に応じたコンテンツを、前記画質情報取得ステップにより取得されたコンテンツの画質情報に基づいて、前記１以上のコンテンツサーバが提供する複数のコンテンツから選択する選択ステップと、
前記コンテンツ出力装置が、前記選択ステップにより選択されたコンテンツを前記１以上のコンテンツサーバから取得するコンテンツ取得ステップと、
前記コンテンツ出力装置が、前記コンテンツ取得ステップにより取得されたコンテンツを出力する出力ステップと、
を含むコンテンツ出力方法。
【請求項１０】
コンピュータに、
出力構造化文書データを取得する取得手順と、
前記出力構造化文書データに係るコンテンツの画質情報を取得する画質情報取得手順と、
出力設定保持部に保持された出力設定情報に応じたコンテンツを、前記画質情報取得手順により取得されたコンテンツの画質情報に基づいて選択する選択手順と、
前記選択手順により選択されたコンテンツをコンテンツサーバから取得するコンテンツ取得手順と、
前記コンテンツ取得手順により取得されたコンテンツを出力する出力手順と、
を実行させるためのプログラム。
【請求項１１】
前記選択手順では、出力設定情報に応じたコンテンツを、前記画質情報取得手順により取得されたコンテンツの画質情報に基づいて、１以上のコンテンツサーバが提供する複数のバージョンのコンテンツから選択する請求項１０記載のプログラム。
【手続補正２】
【補正対象書類名】明細書
【補正対象項目名】０００７
【補正方法】変更
【補正の内容】
【０００７】
本発明はこのような点に鑑みなされたもので、コンテンツサーバに様々な形式で保存されているコンテンツを、簡単に所望の画質で出力することを可能とすることを目的とする。
【手続補正３】
【補正対象書類名】明細書
【補正対象項目名】０００８
【補正方法】変更
【補正の内容】
【０００８】
そこで、本発明は、出力構造化文書データを取得する取得手段と、前記出力構造化文書データに係るコンテンツの画質情報を取得する画質情報取得手段と、出力設定情報を保持する出力設定保持手段と、前記出力設定保持手段に保持された出力設定情報に応じたコンテンツを、前記画質情報取得手段により取得されたコンテンツの画質情報に基づいて選択する選択手段と、前記選択手段により選択されたコンテンツをコンテンツサーバから取得するコンテンツ取得手段と、前記コンテンツ取得手段により取得されたコンテンツを出力する出力手段と、を有する。
【手続補正４】
【補正対象書類名】明細書
【補正対象項目名】０００９
【補正方法】変更
【補正の内容】
【０００９】
本発明によれば、コンテンツサーバに様々な形式で保存されているコンテンツを、簡単に所望の画質で出力することを可能とすることができる。
【手続補正５】
【補正対象書類名】明細書
【補正対象項目名】００１３
【補正方法】変更
【補正の内容】
【００１３】
コンテンツサーバ３０は、ホームネットワーク内のコンテンツサーバである。コンテンツサーバ３０は、ネットワーク１０上のコンテンツ出力装置２０からのコンテンツ情報の取得要求に対して、コンテンツ情報を提供する。
本実施形態において、コンテンツサーバ３０は、ＤＬＮＡにおけるＤＭＳとしての機能を有する。特に、コンテンツサーバ３０は、ＤＭＳにおけるＣＤＳ（Ｃｏｎｔｅｎｔ  Ｄｉｒｅｃｔｏｒｙ  Ｓｅｒｖｉｃｅ）を有する。
コンテンツサーバ３０のより具体的な例としては、ホームサーバ装置、ＮＡＳ（Ｎｅｔｗｏｒｋ  Ａｔｔａｃｈｅｄ  Ｓｔｏｒａｇｅ）装置、カメラ装置、ビデオカメラ装置、スマートフォン装置、ＰＣ装置、等が挙げられる。なお、本実施形態では、コンテンツサーバ３０としてＤＬＮＡにおけるＤＭＳの機能を有する装置を挙げたが、同様なホームネットワーク内にコンテンツ、及びコンテンツ情報を提供する機能、及びそれらの複合でも実施可能である。
コンテンツサーバ４０は、ネットワーク６０上のコンテンツサーバである。コンテンツサーバ４０は、ネットワーク１０上のコンテンツ出力装置２０からのコンテンツ情報の取得要求に対して、コンテンツ情報を提供する。
本実施形態において、コンテンツサーバ４０は、インターネット上のコンテンツ共有サービスである。コンテンツサーバ４０のより具体的な例としては、Ｐｉｃａｓａ（登録商標）やｆｌｉｃｋｒ（登録商標）、Ｆａｃｅｂｏｏｋ（登録商標）等が挙げられる。なお、本実施形態ではコンテンツサーバ４０としてインターネット上のコンテンツ共有サービスを挙げたが、同様なコンテンツ、及びコンテンツ情報を提供する機能、及びそれらの複合を有するネットワーク６０上に存在する機能でも実施可能である。